(57)【要約】      （修正有）【課題】ホットスタンプを利用してチューブ容器にラメ粉を混入したごとき装飾効果を得ることができるホットスタンプチューブ容器を提供する。【解決手段】合成樹脂製チューブ容器Ｐの胴体部Ｐ１を形成するチューブを設ける。このチューブの表面に、ホットスタンプ箔層でラメ状模様を形成する。ホットスタンプ箔層は、胴体部Ｐ１表面に形成されたＵＶコート層の上に形成される。このホットスタンプ箔層は、接着層と蒸着層と保護着色層との三層構造にて構成する。蒸着層の表面に凹凸を形成し、該凹凸を被覆するように透明な保護着色層を形成する。保護着色層にホログラムが生じるように構成する。【選択図】図１
0003171381.tif 000002
【実用新案登録請求の範囲】
【請求項１】
合成樹脂製チューブ容器の胴体部を形成するチューブ表面に、ホットスタンプ箔層でラメ状模様が形成されたことを特徴とするホットスタンプチューブ容器。
【請求項２】
前記ホットスタンプ箔層は、接着層と蒸着層と保護着色層との三層構造からなり、該蒸着層にホログラムが形成された請求項１記載のホットスタンプチューブ容器。
【請求項３】
前記ホットスタンプ箔層は、前記蒸着層の表面に凹凸を形成し、該凹凸を被覆するように透明な前記保護着色層を形成し、前記保護着色層にホログラムが生じるように構成された請求項２記載のホットスタンプチューブ容器。
【請求項４】
前記合成樹脂製チューブ容器は、前記胴体部全面にラメ状模様のホットスタンプ箔層が形成され、該ホットスタンプ箔層の表面にシルク印刷層が形成された請求項１又は２記載のホットスタンプチューブ容器。
【請求項５】
前記合成樹脂製チューブ容器は、前記チューブの表面にラメ粉状に点在するようにホットスタンプ箔層を形成し、該ホットスタンプ箔層の表面にオフセット印刷層を形成し、該オフセット印刷層の表面にＵＶコート層を形成した請求項１記載のホットスタンプチューブ容器。
【考案の詳細な説明】
【技術分野】
【０００１】
本考案は、合成樹脂製チューブ容器の胴体部にラメ状の装飾を施したホットスタンプチューブ容器に関する。
【背景技術】
【０００２】
容器にラメ状の装飾を施した例として、透明な両面テープの接着剤にラメ材等を混合させたものが特許文献１に開示されている。この両面テープは、テープに透明フィルムを用い、その一方の面に透明な接着剤を塗布し、他方の面にラメ材入りの接着剤を塗布した構造を成している。そして、接着剤に含まれるラメ材の光沢による装飾効果を容器に反映させようとするものである。
【０００３】
このラメ材は、装飾効果を高める際に使用されるもので、金属箔やアルミニューム金属を薄いフィルムに蒸着し粉末にしたものなどが、ラメ粉と称して販売されている。そして、このラメ粉を塗料や各種素材に混ぜ込んで使用すると、キラキラと輝く特有の装飾効果が得られるものである。
【０００４】
一方、当出願人は、特許文献２のごとく、全面ホットスタンプチューブの位置合せ方法及びその装置並びに全面ホットスタンプ付チューブを提案している。この全面ホットスタンプ付チューブは、ホットスタンプ箔層の表面にシルクスクリーン印刷による印刷が施されたものである。この特許文献２によると、転写したホットスタンプ箔や該ホットスタンプ箔上の印刷を確実に定着させることが可能になったものである。
【先行技術文献】
【特許文献】
【０００５】
【特許文献１】特許第３８４８０５０号公報
【特許文献２】特開２０１０−１４３１２１号公報
【考案の概要】
【考案が解決しようとする課題】
【０００６】
一般的に使用されているラメ粉の大きさは0.5mm〜1.0mm程度のものがあり、チューブ容器のように0.2mm厚程度の薄い素材に混入すると収まりきらないといった不都合や、ラメがチューブ容器の内側にはみ出し、容器内の収納物に接触して問題を起こす可能性がある。また、ラメ粉を混入した材料でチューブ容器を押出加工すると、押し出し成型機内にラメ粉が残留するなどの不都合も生じる。このため、チューブ樹脂の中にラメ粉を練りこむことは、製造上不可能とされ、チューブ容器にラメ粉を使用した装飾を施すことは現実的ではないと考えられていた。
【０００７】
一方、ラメ粉に代えてホットスタンプ箔を利用しようとすると、ラメ粉状の微小なホットスタンプ箔を容器の表面に定着させることが極めて困難であった。ところが、当出願人が先に提案した特許文献２のごとく、転写したホットスタンプ箔や該ホットスタンプ箔上の印刷を確実に定着させる技術を改良することで、あたかもラメ粉を使用したような装飾効果が期待できることを見出した。
【０００８】
本考案は、上述の課題を解消すべく案出されたもので、ホットスタンプを利用してチューブ容器にラメ粉を混入したごとき装飾効果を得ることができるホットスタンプチューブ容器の提供を目的とするものである。
【課題を解決するための手段】
【０００９】
本考案の第１の手段は、合成樹脂製チューブ容器Ｐの胴体部Ｐ１を形成するチューブ１表面に、ホットスタンプ箔層３でラメ状模様が形成されたことにある。
【００１０】
第２の手段の前記ホットスタンプ箔層３は、接着層３Ａと蒸着層３Ｂと保護着色層３Ｃとの三層構造からなり、該蒸着層３Ｂにホログラムが形成されたものである。
【００１１】
第３の手段の前記保護着色層３Ｃは、前記蒸着層３Ｂの表面に凹凸を形成し、該凹凸を被覆するように透明な前記保護着色層３Ｃを形成し、前記保護着色層３Ｃにホログラムが生じるように構成されている。
【００１２】
第４の手段の前記合成樹脂製チューブ容器Ｐは、前記胴体部Ｐ１全面にラメ状模様のホットスタンプ箔層３が形成され、該ホットスタンプ箔層３の表面にシルク印刷層４が形成されたものとする。
【００１３】
第５の手段の前記合成樹脂製チューブ容器Ｐは、前記チューブ１の表面にラメ粉状に点在するようにホットスタンプ箔層３を形成し、該ホットスタンプ箔層３の表面にオフセット印刷層５を形成し、該オフセット印刷層５の表面にＵＶコート層２を形成した。
【考案の効果】
【００１４】
請求項１のように、合成樹脂製チューブ容器Ｐの胴体部Ｐ１を形成するチューブ１表面に、ホットスタンプ箔層３でラメ状模様が形成されたことにより、あたかもチューブ１の材料にラメ粉を混合したような装飾効果を得ることに成功した。この結果、従来では困難とされていた合成樹脂製チューブ容器Ｐにラメ状模様のようなキラキラ感のある装飾を施すことができる。
【００１５】
請求項２のように、前記ホットスタンプ箔層３は、接着層３Ａと蒸着層３Ｂと保護着色層３Ｃとの三層構造からなり、該蒸着層３Ｂにホログラムを形成したことにより、ラメ状模様のようなキラキラ感のある装飾効果をより高めることができる。
【００１６】
請求項３のように、保護着色層３Ｃは、蒸着層３Ｂの表面に凹凸を形成し、該凹凸を被覆するように透明な保護着色層３Ｃを形成し、保護着色層３Ｃにホログラムが生じるように構成することにより、蒸着層３Ｂの表面の凹凸が反射して透明な保護着色層３Ｃを通し、虹色に輝くホログラムが効果的に生じるものである。
【００１７】
請求項４のごとく、胴体部Ｐ１全面にラメ状模様のホットスタンプ箔層３が形成され、該ホットスタンプ箔層３の表面にシルク印刷層４が形成されたものでは、ラメ状装飾の上にシルク印刷層４が施された一体的な装飾が可能になる。しかも、ホットスタンプ箔層３上に施されるシルク印刷層４は、相性が良好になるので、製品として十分に実用的な定着力を得ることができる。この結果、従来の印刷のように、ホットスタンプ箔２上の印刷がホットスタンプ箔に定着せず、印刷が簡単に落ちてしまうといった不都合もなくなった。
【００１８】
請求項５のように、チューブ１の表面にラメ粉状に点在するようにホットスタンプ箔層３を形成し、該ホットスタンプ箔層３の表面にオフセット印刷層５を形成し、該オフセット印刷層５の表面にＵＶコート層２を形成したことで、ホットスタンプ箔層３とオフセット印刷層５との相乗効果でより変化に富んだ装飾を行うことができる。
【図面の簡単な説明】
【００１９】
【図１】本考案の一実施例を示す正面図である。
【図２】図１に示す胴体部の要部拡大断面図である。
【図３】本考案の他の実施例を示す胴体部の要部拡大断面図である。
【図４】本考案のホットスタンプ箔層の一実施例を示す要部断面図である。
【図５】本考案のホットスタンプ箔層の他の実施例を示す要部断面図である。
【考案を実施するための形態】
【００２０】
本考案によると、ホットスタンプを利用してチューブ容器にラメ粉を混入したごとき装飾効果を得ることができるなどといった当初の目的を達成した。
【００２１】
本考案チューブ容器は、合成樹脂製チューブ容器Ｐの胴体部Ｐ１を形成するチューブ１の表面に、ホットスタンプ箔層３でラメ状模様を形成したものである（図１参照）。
【００２２】
このホットスタンプ箔層３は、接着層３Ａと蒸着層３Ｂと保護着色層３Ｃとの三層構造にて構成されている。そして、蒸着層３Ｂにホログラムを形成する（図４参照）。このときのホットスタンプ箔層３は、蒸着層３Ｂの表面に凹凸を形成し、該凹凸を被覆するように透明な前記保護着色層３Ｃを形成することで、ホログラムのラメ状装飾になる。
【００２３】
一方、この保護着色層３Ｃの色彩を変更することで、ラメ状模様の色彩を変更することができる。たとえば、アクリルエポキシ系の黄色や透明の保護着色層３Ｃを選択するものである。すなわち、黄色の保護着色層３Ｃを形成すると、蒸着層３Ｂのアルミ色と混合した黄金色のラメ状装飾となる（図５参照）。さらに、透明の保護着色層３Ｃを形成すると、蒸着層３Ｂのアルミ色が浮き上がり、シルバー色のラメ状装飾を施すことができるものである。
【実施例１】
【００２４】
図１及び図２は、本考案の実施例１を示している。この実施例では、ホットスタンプ箔層３の表面にシルク印刷層４を重ねて形成したものである。すなわち、チューブ１の表面にＵＶコート層２を形成する。次に、硬化したＵＶコート層２の表面に、ラメ粉状に点在するようにホットスタンプ箔層３形成する。そして、このホットスタンプ箔層３の表面にシルク印刷層４を形成したものである。シルク印刷層４は、シルク印刷層４と相性が良いので、微小なホットスタンプ箔層３の定着力を高め、製品として十分に実用的な定着力を得ることができる。
【実施例２】
【００２５】
図３及び図４は、本考案の実施例２を示している。この実施例では、ホットスタンプ箔層３の表面にオフセット印刷層５を重ねて形成したものである。すなわち、チューブ１の表面にラメ粉状に点在するようにホットスタンプ箔層３を形成する。次に、ホットスタンプ箔層３の表面にオフセット印刷層５を形成する。さらに、オフセット印刷層５の表面にＵＶコート層２を形成し、オフセット印刷層５が剥がれないように保護したものである。
【００２６】
このとき、ホットスタンプ箔層３は、蒸着層３Ｂの表面に凹凸を形成し、該凹凸を被覆するように透明な前記保護着色層３Ｃを形成したものである（図４参照）。また、実施例では、塩化ビニル系又は酢酸ビニル系の接着層３Ａと、アルミ材の蒸着層３Ｂと、アクリルエポキシ系の保護着色層３Ｃとからなるホットスタンプ箔層３を使用するものである。
【００２７】
尚、本考案における図示例の各構成は、本考案の一実施例に過ぎずホットスタンプ箔層３のデザインや、シルク印刷層４、オフセット印刷層５等の変更など、本考案の要旨を変更しない範囲において自由に変更することができるものである。
【産業上の利用可能性】
【００２８】
本考案は、合成樹脂材で形成される合成樹脂製チューブ容器Ｐとして利用される。このとき、合成樹脂製チューブ容器Ｐの形状や用途は限定されるものではなく、本考案の要旨を変更しない範囲で自由な設計変更が可能である。
【符号の説明】
【００２９】
Ｐ  合成樹脂製チューブ容器
Ｐ１  胴体部
Ｐ２  肩部
Ｐ３  抽出口
Ｐ４  シール部
１  チューブ
２  ＵＶコート層
３  ホットスタンプ箔層
３Ａ  接着層
３Ｂ  蒸着層
３Ｃ  保護着色層
３Ｄ  離型層
３Ｅ  ベースフィルム
４  シルク印刷層
５  オフセット印刷層
【図１】
0003171381.tif 000003
【図２】
0003171381.tif 000004
【図３】
0003171381.tif 000005
【図４】
0003171381.tif 000006
【図５】
0003171381.tif 000007